(57)【要約】【課題】ロール状シートの巻き戻りを防止し、かつ、残ロールは清浄状態に維持できるロール状シートの収納箱体を提供する。【解決手段】収納箱１０内に連続シートＳがロールＲ状に収納され、前記収納箱１０の取出面に形成された取出口１３を覆って、前記シートＳの取出用スリット１４ａを有する窓シート１４を設け、前記連続シートＳの先端部分を、前記スリット１４ａを通して引き出すように構成し、前記収納箱１０の取出面１１の外側に、支持面部２０を前記収納箱１０の部分として設け、前記スリット１４ａを通して引き出した連続シートＳの先端部分を、前記支持面部２０の縁において切断分離するようにした。【選択図】図２
2010235191.tif 000002
【特許請求の範囲】
【請求項１】
収納箱内に連続シートがロール状に収納され、前記収納箱の取出面に形成された取出口を覆って、前記シートの取出用スリットを有する窓シートを設け、
前記連続シートの先端部分を、前記スリットを通して引き出すように構成し、
前記収納箱の取出面の外側に、支持面部を前記収納箱の部分として設け、前記スリットを通して引き出した連続シートの先端部分を、前記支持面部の縁において切断分離するようにしたことを特徴とするロール状シートの収納箱体。
【請求項２】
前記支持面部の縁部に切断刃が設けられ、この切断刃により前記連続シートの先端部分を切断分離するものである請求項１記載のロール状シートの収納箱体。
【請求項３】
切断分離使用状態において、前記収納箱の取出面の外側に、支持面部が１０〜４５度の傾斜角度をなして位置している請求項２記載のロール状シートの収納箱体。
【発明の詳細な説明】
【技術分野】
【０００１】
本発明は、ロール状シート、殊には料理用各種ペーパー、清拭用ペーパーなどのロール状紙シートの収納箱体に関する。
【背景技術】
【０００２】
油吸収用やオーブン用などのキッチンペーパーは、箱体内に収納したロール状シートとして提供される。近年は、工業用又は実験室内で清拭用に使用されるペーパーも、ロール状シートとして提供されている。
この種のシートはその用途からして、使用の前に塵埃が箱体内に混入することを可能な限り防止すべきである。このために、キッチンペーパーの箱体などにおいては、開封後において、簡易的に蓋が被るようにしてある。
キッチンペーパーやラップフィルムシートの収納箱の例にみられるように、連続シートを所望の長さに切断分離するために、箱体に切断刃が設けられている。その一例として特許文献２のものがある。
【先行技術文献】
【特許文献】
【０００３】
【特許文献１】実用新案登録第３０３６０３６号公報
【特許文献２】実開平７−１１９９６号公報
【発明の概要】
【発明が解決しようとする課題】
【０００４】
しかるに、ラップフィルムに比較して紙シートの場合、ある程度の剛性があることなどが原因して、箱体に設けた切断刃で切断分離した後に、ロールの後続先端部が箱体内に戻ってしまうことがある。この場合、次に使用する場合には、戻った先端部を所望の長さまで摘み出す作業を要し、その作業が煩雑である。特に、工業用又は実験室内で清拭用に使用されるペーパーでは生産性に影響するので深刻な問題である。
したがって、本発明の主たる課題は、ロール状シートの巻き戻りを防止し、かつ、残ロールを清浄状態に維持できるロール状シートの収納箱体を提供することにある。
【課題を解決するための手段】
【０００５】
上記課題を解決した本発明は次記のとおりである。
＜請求項１記載の発明＞
収納箱内に連続シートがロール状に収納され、前記収納箱の取出面に形成された取出口を覆って、前記シートの取出用スリットを有する窓シートを設け、
前記連続シートの先端部分を、前記スリットを通して引き出すように構成し、
前記収納箱の取出面の外側に、支持面部を前記収納箱の部分として設け、前記スリットを通して引き出した連続シートの先端部分を、前記支持面部の縁において切断分離するようにしたことを特徴とするロール状シートの収納箱体。
【０００６】
（作用効果）
本発明においては、シートの取出用スリットを有する窓シートを設け、連続シートの先端部分を、前記スリットを通して引き出すように構成したので、連続シートの先端部分を支持面部の縁において切断分離した後に、ロールの後続先端部が箱体内に戻ってしまう「巻き戻り」を防止できるとともに、残ロール部分に対し窓シートにより遮断しているので、清浄状態に維持できる。
【０００７】
＜請求項２記載の発明＞
前記支持面部の縁部に切断刃が設けられ、この切断刃により前記連続シートの先端部分を切断分離するものである請求項１記載のロール状シートの収納箱体。
【０００８】
（作用効果）
支持面部の縁部に切断刃が設けられ、この切断刃により前記連続シートの先端部分を切断分離するものであると、切断が確実となる。たとえば、予め連続シートに所定長さごとミシン目などを入れておくと、支持面部の縁部に切断刃が設けなくとも、支持面部の縁を折り山折りの縁として引っ張れば、ミシン目を境にして切断分離できるが、ミシン目などを入れない場合には、支持面部の縁部に切断刃を設けることで切断が確実となるのである。
【０００９】
＜請求項３記載の発明＞
切断分離使用状態において、前記収納箱の取出面の外側に、支持面部が１０〜４５度の傾斜角度をなして位置している請求項２記載のロール状シートの収納箱体。
【００１０】
（作用効果）
収納箱の取出面の外側に、支持面部が１０〜４５度の傾斜角度θ（図２参照）をなしていると、シートの切断分離容易となる。１０〜２０度がさらに望ましい。
【発明の効果】
【００１１】
本発明によれば、ロール状シートの巻き戻りを防止し、かつ、残ロールは清浄状態に維持できるロール状シートの収納箱体を得ることができる。
【図面の簡単な説明】
【００１２】
【図１】本発明例の概要斜視図である。
【図２】その断面図である。
【図３】本発明の他の例の概要斜視図である。
【図４】本発明の別の例の概要斜視図である。
【図５】本発明のさらに別の例の概要斜視図である。
【図６】本発明の態様を異にする例の概要斜視図である。
【図７】本発明のさらに他の例の概要斜視図である。
【発明を実施するための形態】
【００１３】
次に図面に示した例によって本発明の実施するための形態を説明すると、収納箱１０内に連続シートＳがロールＲ状に収納され、この収納箱１０の取出面１１には、予め形成されたミシン目１２に沿って切除される取出口１３を覆って、シートの取出用スリット１４ａを有する窓シート１４がたとえばホットメルト接着剤により箱の内面に固定されている。箱自体の形態については汎用ティシュペーパーの収納箱の形態と同様であるが、収納箱１０内には連続シートＳのロールＲが収納され、その連続シートＳの先端部分がスリット１４ａを通して引き出すように構成してある点で相違する。
【００１４】
他方、収納箱１０の取出面１１の外側に、支持面部２０を収納箱１０の部分として設け、スリット１４ａを通して引き出した連続シートＳの先端部分を、支持面部２０の縁において切断分離するようにした。
【００１５】
この場合において、連続シートＳの先端部分を、支持面部２０の縁自体で切断分離するほか、図２に示すように、支持面部２０の縁部に鋸歯状の金属又はプラスチック製などの切断刃２１を固定しておくことができる。
【００１６】
この形態においては、消費者の使用前に切断刃２１が露出しているのは望ましいことではないので、たとえば図４に示すように、切断刃２１を覆って延在する延在片部２１Ａを形成しておき、使用の直前にミシン目２１Ｂに沿って延在片部２１Ａを切除し、切断刃２１を露出させるようにすると好適である。
【００１７】
また、切断分離使用状態において、収納箱１０の取出面１１の外側に、支持面部が１０〜２０度の傾斜角度θをなして位置させるのが望ましい。傾斜角度θが過度に小さいと、切断刃２１でのシートＳ切断時の山形が形成でき難く、もって切断を行い難い。その反対に、傾斜角度θが過度に大きいと、収納箱１０から支持面部２０部分が外方に位置するので邪魔になるばかりでなく、切断性も悪いものとなる。
【００１８】
製品の流通段階から、支持面部２０が収納箱１０の取出面１１の外側に張り出していることは、物流時のトラブルを招きやすい。そこで、支持面部２０は、製品として提供される目には収納箱１０の取出面１１と重なっており、使用段階において支持面部２０を外側に張り出させる形態が望ましい。
【００１９】
その例としては、図４に示したように、支持面部２０の両側部２０Ａ、２０Ａに係止耳部２０Ｂ、２０Ｂを形成しておき、使用時点において、消費者が支持面部２０を底側に倒しながら引き出し、その係止耳部２０Ｂが、収納箱１０の側面の所定位置に形成された、たとえば半円形のやや大きめのミシン目部１５に一致した時点で、指先で押し込み、ミシン目部１５を破断し、かつ箱１０裏面に係止耳部２０Ｂを折り返すことにより、支持面部２０の位置を固定できる。
【００２０】
他の例は、図５に示したように、支持面部２０の両側部２０Ｃ、２０Ｃに折り畳み線２０Ｄ、２０Ｄを形成しておき、製品段階では折り畳み線２０Ｄ、２０Ｄを介して折り畳み状態とし、使用時点において、消費者が支持面部２０を底側に倒しながら引き出すようにすることができる。
【００２１】
さらに、図４の例に類似する例として示す図６の例においては、収納箱１０に形成した又はミシン目の切除により形成される差込スリット１６に、係止耳部２０Ｂを挿入して係止するものである。
【００２２】
図７に示す例においては、使用段階で、支持面部２０の両側下端部の下縁を分離した後、形成される三角部分１７の一部を収納箱１０に形成した又はミシン目の切除により形成される差込スリット１８に挿入して係止するものである。
【００２３】
上記例の延長に他の種々の形態があることは理解できよう。
【符号の説明】
【００２４】
Ｓ…連続シート、Ｒ…ロール、１０…収納箱、１１…取出面、１２…ミシン目、１３…取出口、１４ａ…取出用スリット、１４…窓シート、２０…支持面部、２１…切断刃。
【図１】
2010235191.tif 000003
【図２】
2010235191.tif 000004
【図３】
2010235191.tif 000005
【図４】
2010235191.tif 000006
【図５】
2010235191.tif 000007
【図６】
2010235191.tif 000008
【図７】
2010235191.tif 000009